(57)【要約】【課題】  マンモグラフィ画像をフィルムに形成する際に、胸壁部画像に欠損が生じなくかつ眩惑・眩しさ防止を確実に図ることのできる画像生成方法及び画像生成システムを提供するを提供する。【解決手段】  この画像生成方法は、被写体を撮影し、その被写体の画像データを画像生成装置で生成し、撮影した被写体の少なくとも撮影部位情報を含む付帯情報を生成し、画像データを付帯情報とともにネットワークを介して画像記録装置に送信し、付帯情報の撮影部位情報に乳房関連情報が含まれているか否かを判断し、乳房関連情報が含まれていたとき、画像データに予め定めた高濃度処理のための画像データを合成し、画像記録装置でその合成画像データに基づいてフィルムに潜像を形成する。【選択図】  図１１
2005288000.tif 000002
【特許請求の範囲】
【請求項１】
被写体を撮影し、その被写体の画像データを画像生成装置で生成するステップと、
前記撮影した被写体の少なくとも撮影部位情報を含む付帯情報を生成するステップと、
前記画像データを前記付帯情報とともにネットワークを介して画像記録装置に送信するステップと、
前記付帯情報の撮影部位情報に乳房関連情報が含まれているか否かを判断するステップと、
前記乳房関連情報が含まれていたとき、前記画像データに予め定めた画像データを合成するステップと、
前記画像記録装置でその合成画像データに基づいてフィルムに潜像を形成するステップと、を含むことを特徴とする画像生成方法。
【請求項２】
前記画像データを前記付帯情報とともにネットワークを介してデータベース装置に送信し保存し、前記画像生成装置からではなく、前記データベース装置から前記データベース装置に保存された画像データ及び付帯情報を前記ネットワークを介して前記画像記録装置に送信することを特徴とする請求項１に記載の画像生成方法。
【請求項３】
被写体を撮影し、その被写体の画像データを画像生成装置で生成するステップと、
前記生成された画像データが乳房画像データであるか否かを判断するステップと、
前記乳房画像データであるとき、前記画像データに予め定めた画像データを合成するステップと、
その合成画像データを前記画像生成装置からネットワークを介して画像記録装置に送信するステップと、
前記画像記録装置で前記合成画像データに基づいてフィルムに潜像を形成するステップと、を含むことを特徴とする画像生成方法。
【請求項４】
前記フィルムのサイズ情報を考慮して前記フィルムに潜像を形成することを特徴とする請求項１，２または３に記載の画像生成方法。
【請求項５】
前記合成画像データに基づいてフィルムに潜像を形成する際の潜像形成の開始位置が前記フィルムのサイズを考慮して定められることを特徴とする請求項１乃至４のいずれか１項に記載の画像生成方法。
【請求項６】
前記予め定めた画像データは少なくとも前記乳房画像の胸壁部が形成される領域に隣接するフィルム部分を高濃度処理するものであることを特徴とする請求項１乃至５のいずれか１項に記載の画像生成方法。
【請求項７】
被写体を撮影し、その被写体の画像データを生成する画像生成装置と、前記画像データに基づいてその撮影画像をフィルムに形成する画像記録装置とがネットワークを介して接続され、前記撮影画像をフィルムに形成して出力する画像生成システムであって、
前記画像生成装置は、
被写体を撮影した画像データを生成する画像生成手段と、
前記撮影した被写体の少なくとも撮影部位情報を含む付帯情報を生成する付帯情報生成手段と、
前記生成された画像データ及び付帯情報を送信する通信手段と、を備え、
前記画像記録装置は、
少なくとも１以上のサイズのフィルムを載置するとともに、前記載置されたフィルムから１枚ずつ分離し搬送するフィルム給送手段と、
前記フィルム上に画像データに基づいて潜像を形成する露光手段と、
前記潜像を形成されたフィルムを現像し可視化する現像手段と、
前記ネットワーク経由で画像データ及び付帯情報を受信する通信手段と、
前記給送手段、前記露光手段、前記現像手段及び前記通信手段を制御する制御手段と、を備え、
前記記録装置は、前記ネットワークを介して前記通信手段で前記画像生成装置から前記画像データを受信し、その付帯情報の撮影部位情報に乳房関連情報が含まれていたとき、前記制御手段は、前記受信した画像データに予め定めた画像データを合成し、その合成画像データに基づいて前記露光手段で前記フィルムに潜像を形成することを特徴とする画像生成システム。
【請求項８】
画像データを保存するデータベース装置が前記ネットワークを介して更に接続され、
前記画像データを前記付帯情報とともに前記画像生成装置から前記ネットワークを介してデータベース装置に送信し保存し、前記画像生成装置からではなく、前記データベース装置から前記データベース装置に保存された画像データ及び付帯情報を前記ネットワークを介して前記画像記録装置に送信することを特徴とする請求項７に記載の画像生成システム。
【請求項９】
被写体を撮影し、その被写体の画像データを生成する画像生成装置と、前記画像データに基づいてその撮影画像をフィルムに形成する画像記録装置とがネットワークを介して接続され、前記撮影画像をフィルムに形成して出力する画像生成システムであって、
前記画像生成装置は、
被写体を撮影した画像データを生成する画像生成手段と、
前記生成された画像データに予め定めた画像データを合成する合成手段と、
画像データを送信する通信手段と、
前記画像生成手段、前記合成手段及び前記通信手段を制御する制御手段と、を備え、
前記制御手段は、乳房撮影による乳房画像データの生成のときには、前記乳房画像データに前記合成手段により予め定めた画像データを合成し、その合成画像データを送信するように制御することを特徴とする画像生成システム。
【請求項１０】
画像データを保存するデータベース装置が前記ネットワークを介して更に接続され、
前記画像生成装置の前記制御手段は、前記画像記録装置に前記合成画像データを送信し、前記データベース装置に前記乳房画像データを送信するように制御することを特徴とする請求項９に記載の画像生成システム。
【請求項１１】
被写体を撮影し、その被写体の画像データを生成する画像生成装置と、前記画像データについて画像処理を行う画像処理装置と、前記画像データに基づいてその撮影画像をフィルムに形成する画像記録装置とがネットワークを介して接続され、前記撮影画像をフィルムに形成して出力する画像生成システムであって、
前記画像処理装置は、
前記生成された画像データに予め定めた画像データを合成する合成手段と、
画像データを送信する通信手段と、
前記合成手段及び前記通信手段を制御する制御手段と、を備え、
前記制御手段は、乳房撮影による乳房画像データの生成のときには、前記乳房画像データに前記合成手段により予め定めた画像データを合成し、その合成画像データを前記画像記録装置に送信するように制御することを特徴とする画像生成システム。
【請求項１２】
前記フィルムのサイズ情報を考慮して前記露光手段により前記フィルムに潜像を形成することを特徴とする請求項７乃至１１のいずれか１項に記載の画像生成システム。
【請求項１３】
前記合成画像データに基づいて前記露光手段によりフィルムに潜像を形成する際の潜像形成の開始位置が前記フィルムのサイズを考慮して定められることを特徴とする請求項７乃至１２のいずれか１項に記載の画像生成システム。
【請求項１４】
前記予め定めた画像データは少なくとも前記乳房画像の胸壁部が形成される領域に隣接するフィルム部分を高濃度処理するものであることを特徴とする請求項７乃至１３のいずれか１項に記載の画像生成システム。
【発明の詳細な説明】
【技術分野】
【０００１】
本発明は、撮影した被写体の画像データを生成し、その画像データに基づいて撮影画像をフィルムに形成して出力する画像生成方法及び画像生成システムに関する。
【背景技術】
【０００２】
乳ガン等の検診では左右乳房の放射線画像を並べて比較する比較読影が行われるが、この比較読影に対応して、左右乳房のマンモグラフィ画像（乳房撮影画像）をフィルムに出力するとき、図１３（ａ）のように、左右乳房の放射線画像が各胸壁部側を各フィルム側辺に合わせて各フィルムＡ，Ｂに形成される。そして、２枚のフィルムＡ，Ｂを、図１３（ａ）のように、胸壁合わせの状態にして観察を行う。しかし、図１３（ａ）のようなフィルムＡ，Ｂを観察のためシャーカステンにおいたとき、各フィルム側辺と各胸壁部との間の領域Ａ１，Ｂ１が素抜けとなり、観察者が眩しく感じてしまい、観察者に悪影響（眩惑、まぶしさ）を与えてしまう。そこで、図１３（ｂ）のように、各フィルム側辺と各胸壁部との間に素抜け領域が形成されないように左右乳房の放射線画像を各フィルムＡＡ，ＢＢに形成し（下記特許文献１の図２参照）、各フィルムＡＡ，ＢＢでは、フィルム側辺に沿って胸壁部画像が形成されている。
【０００３】
また、下記特許文献２には、蓄積性蛍光体シートに放射線画像を記録するとき、関心領域以外の部分に強制的にＤｍａｘ値を割り付け、眩しさ防止を図ることが記載されている。
【０００４】
ところで、放射線画像を記録するフィルムにも蓄積性蛍光体シートにも一般的に寸法誤差があるが、例えば、フィルムに関しては、ＪＩＳ規格でフィルムサイズは±１ｍｍの許容誤差があり、最大サイズと最小サイズとではレンジで２ｍｍの差がある。
【０００５】
一方、フィルムに画像を形成する画像記録装置では、フィルム上の画像位置を一定とするために搬送下で発生したフィルム位置ずれを露光前に修正するいわゆる位置規制が行われるが、この位置規制方式には、片側基準方式と、センター基準（中央位置基準）方式があり、露光部における副走査のためのギャップローラ構造等のフィルム搬送の観点からはセンター基準が好ましい。
【０００６】
上述のように、画像記録装置でフィルムをセンター基準方式で搬送し露光を行うと、フィルムが正常に位置規制され、露光時に正規の位置から画像書き込みを開始しても、最大サイズのフィルムと最小サイズのフィルムとの間では、画像書き出し位置に対するフィルム端の位置は１ｍｍ相違することになる。即ち、最小フィルムの端面と画像書き出し位置が一致するように画像書き出し位置が調整されていた場合、最大サイズのフィルムでは胸壁側に未露光部の素抜け部が生成されることになり、胸壁合わせの読影時に、当該素抜け部を透過したシャーカステンの光が読影者を幻惑させることになり、診断上好ましく無い。
【特許文献１】特開２００２−１５８８５３公報
【特許文献２】特許第２９０３２２４号公報
【発明の開示】
【発明が解決しようとする課題】
【０００７】
本発明は、上述のような従来技術の問題に鑑み、熱現像感光フィルム、蛍光体プレート等の被写体検出器、画像生成装置、画像記録装置の製造ばらつきを許容し、かつ、熱現像感光フィルムに出力されたマンモグラフィ画像（乳房画像）に観察時の幻惑を誘発する素抜け部が発生することを防止可能な画像生成方法及び画像生成システムを提供することを目的とする。
【課題を解決するための手段】
【０００８】
上記目的を達成するために、本発明による画像生成方法は、被写体を撮影し、その被写体の画像データを画像生成装置で生成するステップと、前記撮影した被写体の少なくとも撮影部位情報を含む付帯情報を生成するステップと、前記画像データを前記付帯情報とともにネットワークを介して画像記録装置に送信するステップと、前記付帯情報の撮影部位情報に乳房関連情報が含まれているか否かを判断するステップと、前記乳房関連情報が含まれていたとき、前記画像データに予め定めた画像データを合成するステップと、前記画像記録装置でその合成画像データに基づいてフィルムに潜像を形成するステップと、を含むことを特徴とする。
【０００９】
この画像生成方法によれば、生成画像データが乳房画像データであるとき、画像記録装置においてその乳房画像データに予め定めた画像データを合成し、その合成画像データに基づいてフィルムに乳房画像を形成するので、例えば、前記予め定めた画像データは少なくとも前記乳房画像の胸壁部が形成される領域に隣接するフィルム部分を高濃度処理するものとすることで、マンモグラフィ画像の形成されたフィルムにおいて眩惑・眩しさ防止を確実に図ることができる。
【００１０】
上記画像生成方法において前記フィルムのサイズ情報を考慮して前記フィルムに潜像を形成することで、例えば前記合成画像データに基づいてフィルムに潜像を形成する際の潜像形成の開始位置が前記フィルムのサイズを考慮して定められることにより、フィルムの最小サイズを考慮し潜像を形成することができ、フィルムサイズにばらつきがあっても眩惑を誘発する素抜け部の発生を防止できる。
【００１１】
また、前記画像データを前記付帯情報とともにネットワークを介してデータベース装置に送信し保存し、前記画像生成装置からではなく、前記データベース装置から前記データベース装置に保存された画像データ及び付帯情報を前記ネットワークを介して前記画像記録装置に送信するようにしてもよい。
【００１２】
本発明によるもう１つの画像生成方法は、被写体を撮影し、その被写体の画像データを画像生成装置で生成するステップと、前記生成された画像データが乳房画像データであるか否かを判断するステップと、前記乳房画像データであるとき、前記画像データに予め定めた画像データを合成するステップと、その合成画像データをネットワークを介して画像記録装置に送信するステップと、前記画像記録装置で前記合成画像データに基づいてフィルムに潜像を形成するステップと、を含むことを特徴とする。
【００１３】
この画像生成方法によれば、生成画像データが乳房画像データであるとき、その乳房画像データに予め定めた画像データを合成し、画像記録装置においてその合成画像データに基づいてフィルムに乳房画像を形成するので、例えば、前記予め定めた画像データは少なくとも前記乳房画像の胸壁部が形成される領域に隣接するフィルム部分を高濃度処理するものとすることで、マンモグラフィ画像の形成されたフィルムにおいて眩惑・眩しさ防止を確実に図ることができる。なお、画像データの合成は、画像生成装置において行うようにできるが、ネットワークを介して生成画像データを画像処理装置に送り、画像処理装置で行うようにしてもよい。
【００１４】
上記画像生成方法において前記フィルムのサイズ情報を考慮して前記フィルムに潜像を形成することで、例えば前記合成画像データに基づいてフィルムに潜像を形成する際の潜像形成の開始位置が前記フィルムのサイズを考慮して定められることにより、フィルムの最小サイズを考慮し潜像を形成することができ、フィルムサイズにばらつきがあっても眩惑を誘発する素抜け部の発生を防止できる。
【００１５】
なお、上記画像生成方法において前記生成された画像データを前記ネットワークを介してデータベース装置に送信し保存することが好ましい。
【００１６】
なお、上述の各画像生成方法では、フィルムサイズ以外に、蛍光体プレート等の被写体検出器、画像生成装置及び画像記録装置の製造ばらつきに起因してフィルムの搬送位置のずれ等により画像形成位置がずれることがあるが、潜像形成の際にかかるずれ量を考慮することで、フィルムサイズの場合と同様にして眩惑を誘発する素抜け部の発生を防止できる。
【００１７】
本発明による画像生成システムは、被写体を撮影し、その被写体の画像データを生成する画像生成装置と、前記画像データに基づいてその撮影画像をフィルムに形成する画像記録装置とがネットワークを介して接続され、前記撮影画像をフィルムに形成して出力する画像生成システムであって、前記画像生成装置は、被写体を撮影した画像データを生成する画像生成手段と、前記撮影した被写体の少なくとも撮影部位情報を含む付帯情報を生成する付帯情報生成手段と、前記生成された画像データ及び付帯情報を送信する通信手段と、を備え、前記画像記録装置は、少なくとも１以上のサイズのフィルムを載置するとともに、前記載置されたフィルムから１枚ずつ分離し搬送するフィルム給送手段と、前記フィルム上に画像データに基づいて潜像を形成する露光手段と、前記潜像を形成されたフィルムを現像し可視化する現像手段と、前記ネットワーク経由で画像データ及び付帯情報を受信する通信手段と、前記給送手段、前記露光手段、前記現像手段及び前記通信手段を制御する制御手段と、を備え、前記記録装置は、前記ネットワークを介して前記通信手段で前記画像生成装置から前記画像データを受信し、その付帯情報の撮影部位情報に乳房関連情報が含まれていたとき、前記制御手段は、前記受信した画像データに予め定めた画像データを合成し、その合成画像データに基づいて前記露光手段で前記フィルムに潜像を形成することを特徴とする。
【００１８】
この画像生成システムによれば、生成画像データが乳房画像データであるとき、画像記録装置においてその乳房画像データに予め定めた画像データを合成し、その合成画像データに基づいてフィルムに乳房画像を形成するので、例えば、前記予め定めた画像データは少なくとも前記乳房画像の胸壁部が形成される領域に隣接するフィルム部分を高濃度処理するものとすることで、マンモグラフィ画像の形成されたフィルムにおいて眩惑・眩しさ防止を確実に図ることができる。
【００１９】
上記画像生成システムにおいて前記フィルムのサイズ情報を考慮して前記露光手段により前記フィルムに潜像を形成することで、例えば前記合成画像データに基づいてフィルムに潜像を形成する際の潜像形成の開始位置が前記フィルムのサイズを考慮して定められることにより、フィルムの最小サイズを考慮し潜像を形成することができ、フィルムサイズにばらつきがあっても眩惑を誘発する素抜け部の発生を防止できる。
【００２０】
また、画像データを保存するデータベース装置が前記ネットワークを介して更に接続され、前記画像データを前記付帯情報とともに前記画像生成装置から前記ネットワークを介してデータベース装置に送信し保存し、前記画像生成装置からではなく、前記データベース装置から前記データベース装置に保存された画像データ及び付帯情報を前記ネットワークを介して前記画像記録装置に送信するように構成してもよい。
【００２１】
本発明によるもう１つの画像生成システムは、被写体を撮影し、その被写体の画像データを生成する画像生成装置と、前記画像データに基づいてその撮影画像をフィルムに形成する画像記録装置とがネットワークを介して接続され、前記撮影画像をフィルムに形成して出力する画像生成システムであって、前記画像生成装置は、被写体を撮影した画像データを生成する画像生成手段と、前記生成された画像データに予め定めた画像データを合成する合成手段と、画像データを送信する通信手段と、前記画像生成手段、前記合成手段及び前記通信手段を制御する制御手段と、を備え、前記制御手段は、乳房撮影による乳房画像データの生成のときには、前記乳房画像データに前記合成手段により予め定めた画像データを合成し、その合成画像データを送信するように制御することを特徴とする。
【００２２】
この画像生成システムによれば、生成画像データが乳房画像データであるとき、画像生成装置においてその乳房画像データに予め定めた画像データを合成し、画像記録装置においてその合成画像データに基づいてフィルムに乳房画像を形成するので、例えば、前記予め定めた画像データは少なくとも前記乳房画像の胸壁部が形成される領域に隣接するフィルム部分を高濃度処理するものとすることで、マンモグラフィ画像の形成されたフィルムにおいて眩惑・眩しさ防止を確実に図ることができる。
【００２３】
上記画像生成システムにおいて前記フィルムのサイズ情報を考慮して前記露光手段により前記フィルムに潜像を形成することで、例えば前記合成画像データに基づいてフィルムに潜像を形成する際の潜像形成の開始位置が前記フィルムのサイズを考慮して定められることにより、フィルムの最小サイズを考慮し潜像を形成することができ、フィルムサイズにばらつきがあっても眩惑を誘発する素抜け部の発生を防止できる。
【００２４】
また、画像データを保存するデータベース装置が前記ネットワークを介して更に接続され、前記画像生成装置の前記制御手段は、前記画像記録装置に前記合成画像データを送信し、前記データベース装置に前記乳房画像データを送信するように制御するように構成できる。
【００２５】
本発明による更にもう１つの画像生成システムは、被写体を撮影し、その被写体の画像データを生成する画像生成装置と、前記画像データについて画像処理を行う画像処理装置と、前記画像データに基づいてその撮影画像をフィルムに形成する画像記録装置とがネットワークを介して接続され、前記撮影画像をフィルムに形成して出力する画像生成システムであって、前記画像処理装置は、前記生成された画像データに予め定めた画像データを合成する合成手段と、画像データを送信する通信手段と、前記合成手段及び前記通信手段を制御する制御手段と、を備え、前記制御手段は、乳房撮影による乳房画像データの生成のときには、前記乳房画像データに前記合成手段により予め定めた画像データを合成し、その合成画像データを前記画像記録装置に送信するように制御することを特徴とする。
【００２６】
この画像生成システムによれば、乳房画像データの合成を、画像生成装置ではなく、画像処理装置で行うことで、同様に、乳房画像データに予め定めた画像データを合成し、画像記録装置においてその合成画像データに基づいてフィルムに乳房画像を形成するので、例えば、前記予め定めた画像データは少なくとも前記乳房画像の胸壁部が形成される領域に隣接するフィルム部分を高濃度処理するものとすることで、マンモグラフィ画像の形成されたフィルムにおいて眩惑・眩しさ防止を確実に図ることができる。
【００２７】
上記画像生成システムにおいて前記フィルムのサイズ情報を考慮して前記露光手段により前記フィルムに潜像を形成することで、例えば前記合成画像データに基づいてフィルムに潜像を形成する際の潜像形成の開始位置が前記フィルムのサイズを考慮して定められることにより、フィルムの最小サイズを考慮し潜像を形成することができ、フィルムサイズにばらつきがあっても眩惑を誘発する素抜け部の発生を防止できる。
【００２８】
なお、上述の各画像生成システムでは、フィルムサイズ以外に、蛍光体プレート等の被写体検出器、画像生成装置及び画像記録装置の製造ばらつきに起因してフィルムの搬送位置のずれ等により画像形成位置がずれることがあるが、潜像形成の際にかかるずれ量を考慮することで、フィルムサイズの場合と同様にして眩惑を誘発する素抜け部の発生を防止できる。
【発明の効果】
【００２９】
本発明の画像生成方法及び画像生成システムによれば、熱現像感光フィルム、蛍光体プレート等の被写体検出器、画像生成装置、画像記録装置の製造ばらつきを許容し、かつ、熱現像感光フィルムに出力されたマンモグラフィ画像（乳房画像）に観察時の幻惑を誘発する素抜け部が発生することを防止可能である。
【発明を実施するための最良の形態】
【００３０】
以下、本発明を実施するための最良の形態について図面を用いて説明する。図１は本発明の実施の形態による画像生成システムの全体構成を示す図である。
【００３１】
図１の画像生成システムは、被写体（患者）の放射線画像情報が記録された輝尽性蛍光体パネルを励起光で走査して発光させ、その光を光電変換して画像情報を得るＣＲ(computed radiography)の撮像モダリティにより画像データを生成する画像生成装置１，２と、画像生成装置１，２からの画像データに基づいて感光材料からなるフィルムに可視画像を形成し出力する画像記録装置６と、画像生成装置１，２からの画像データを保存しかつ画像検索により読み出し可能なデータベースサーバ７と、を備え、それぞれがネットワーク１０を介して接続可能に構成されている。
【００３２】
また、図１の画像生成システムには、更に、画像生成装置１，２からの画像データに画像処理を実施し、その画像処理後の画像データを画像記録装置６やデータベースサーバ７に出力する画像処理装置３と、パーソナルコンピュータ（パソコン）やワークステーション等からなり放射線科医師が画像を参照し診断を行うための画像表示装置（ビューア）５と、オーダ情報の管理のためのＲＩＳ／ＨＩＳ（オーダ情報管理装置）４とが、ネットワーク１０に接続されており、全体として医用ネットワークシステムを構成している。
【００３３】
図１では、ネットワーク１０を介して各装置１〜８がオンライン接続され、情報を互いに送信しかつ受信できるようになっている。ネットワーク１０は、ＬＡＮ、ＷＡＮ、インターネット等の通信回線であってよく、送受信の通信は、例えばＤＩＣＯＭ（Digital Imaging and COmmunications in Medicine）規格に則って行われるようになっている。
【００３４】
次に、図１の画像生成装置１について図２を参照して説明する。図２は図１の画像生成装置の全体を概略的に示すブロック図である。図２の画像生成装置１は、被写体の放射線撮影後の輝尽性蛍光体シートから放射線画像を読み取るリーダ１ａと、パーソナルコンピュータ（パソコン）から構成され撮影画像の画像データを生成して出力するコントローラ１ｂと、を備える。
【００３５】
図２のように、画像生成装置１のリーダ１ａは、放射線を照射するとこの放射線エネルギーの一部が蓄積され、その後、可視光やレーザ光等の励起光を照射すると蓄積された放射線エネルギーに応じて輝尽発光を示す輝尽性蛍光体を利用して、支持体上に蓄積性蛍光体を積層してなるシート状の輝尽性蛍光体シート２９に、制御部６２で制御される放射線照射部６１から照射されたＸ線による人体等の被写体Ｍの放射線画像情報を一旦蓄積記録したものに、走査光学部４ａからレーザ光を走査して順次輝尽発光させ、この輝尽発光光をフォトマルチプライヤ１０ｂで光電的に順次読み取って画像信号を得るものである。リーダ１ａは、この画像信号読取り後の輝尽性蛍光体シート２９にハロゲンランプ６ａから消去光を照射して、このシートに残留する放射線エネルギーを放出させ、次の撮影に備える。
【００３６】
リーダ１ａは、被写体Ｍの放射線画像情報をいったん記録する輝尽性蛍光体シート２９と、輝尽性蛍光体シート２９に対する励起光としてのレーザ光を発生するレーザダイオードからなるレーザ光源部５６と、レーザ光源部５６を駆動するためのレーザ駆動回路８５と、レーザ光源部５６からのレーザ光を輝尽性蛍光体シート２９上に走査させるための光学系５７と、励起レーザ光により励起された輝尽発光を集光し、光電変換し、画像信号を得る集光読取部５９と、を有する。
【００３７】
集光読取部５９は、励起レーザ光により励起された輝尽発光を集光する光ガイド８と、光ガイド８により集光された光を光電変換するフォトマルチプライヤ（光電子増倍管）１０と、フォトマルチプライヤ１０ｂに電圧を加える高圧電源１０ａと、フォトマルチプライヤ１０ｂからの電流信号を、電流電圧変換・電圧増幅・Ａ／Ｄ変換などにより、デジタル信号に変換する変換部８１と、この変換部により変換されたデジタル信号を補正する補正部８２と、この補正部８２で補正されたデジタル信号を送信する画像送信部８３とを有し、読み取った放射線画像情報のデジタル信号をコントローラ１ｂに送信する。なお、補正部８２は、RISCプロセッサで構成され、デジタル信号の応答遅れやムラなどを補正する。
【００３８】
リーダ１ａは、更に、画像信号読取後の輝尽性蛍光体シートに残留する放射線エネルギーを放出させるために、消去光を照射するハロゲンランプ６ａと、このハロゲンランプ６ａを駆動するドライバ４５ａとを有する。また、リーダ１ａは、レーザ駆動回路８５、高圧電源１０ａ、変換部８１、補正部８２、画像送信部８３、及びドライバ４５ａをそれぞれ制御する制御部４７を有する。また、リーダ１ａのレーザ光源部５６と光学系５７とを含む走査光学部４ａ、光ガイド８、フォトマルチプライヤ１０ｂ及びハロゲンランプ６ａは、図示しない副走査ユニットとして一体的に、ボールねじ機構により、レーザ走査方向と垂直な副走査方向に移動する。この副走査ユニットは、画像読取時に、移動することにより副走査し、復動する間に、ハロゲンランプ６ａが発光することにより残像を消去する。
【００３９】
図２のように、画像生成装置１のコントローラ１ｂは、中央演算装置（ＣＰＵ）を有し各種の制御を行うパソコン本体部６５と、キーボード６６と、ＣＲＴディスプレイや液晶パネル等からなるモニタ表示部６７とを有し、パソコン本体部６５がリーダ１ａから受信した放射線画像情報のデジタル信号を一旦、メモリ上に記憶し、画像処理し、キーボード６６からの操作入力に応じて、モニタ表示部６７への表示と画像処理等を制御し、画像データを生成する。また、撮影した被写体Ｍの撮影部位情報をキーボード６６から入力し、パソコン本体部６５は、被写体Ｍの胸部や乳房等の撮影部位情報を含む付帯情報を生成し、この付帯情報を上記画像データに付帯して出力する。
【００４０】
なお、図１の画像生成装置２は上述の画像生成装置１と同様に構成でき、画像生成装置１，２ともにマンモグラフィ撮影（乳房撮影）による乳房画像データを生成するように構成できる。
【００４１】
次に、図１の画像記録装置６について図３，図４を参照して説明する。図３は図１の画像記録装置の要部を示す正面図である。図４は図３の画像記録装置の露光部を概略的に示す図である。
【００４２】
図３に示すように画像記録装置６は、シート状の熱現像感光材料である熱現像感光フィルム（以下、「フィルム」という場合もある。）を所定枚数でパッケージした包装体を装填する第１及び第２の装填部１１，１２と、フィルムを１枚づつ露光・現像のために搬送する搬送部５ａとを有する供給部１１０と、供給部１１０から給送されたフィルムを露光し潜像を形成する露光部１２０と、潜像を形成されたフィルムを熱現像する熱現像部１３０と、現像されたフィルムの濃度を測定し濃度情報を得る濃度計２００や搬送ローラ１４４等を含む冷却搬送部１５０と、を備える。
【００４３】
供給部１１０の第１及び第２の装填部１１，１２には、サイズの異なるフィルムをそれぞれ装填することができ、第１の装填部１１または第２の装填部１２からフィルムが１枚づつ搬送部５ａ、搬送ローラ対１３９，１４１により図１の矢印方向（１）に搬送されるようになっている。そして、フィルムは、矢印方向（２）に搬送され搬送ローラ対１４２で副走査搬送されながら露光部１２０でレーザ光が照射され潜像が形成され、次に、搬送ローラ対１４２，１４３により矢印方向（３）へ搬送され熱現像部１３０で潜像が可視像化され、更に矢印方向（４）へ搬送され冷却搬送部１５０で冷却されてから排出部１６０に排出されるようになっている。
【００４４】
次に、露光部について説明する。図４のように、露光部１２０は、画像信号Ｓに基づき強度変調されたレーザ光Ｌを、回転多面鏡１１３によって偏向して、フィルムＦ上を主走査すると共に、フィルムＦをレーザ光Ｌに対して主走査の方向と略直角な方向に相対移動させることにより副走査し、レーザ光Ｌを用いてフィルムＦに潜像を形成するものである。
【００４５】
露光部１２０のより具体的な構成を以下に述べる。図４において図１の画像生成装置１，２または画像処理装置３から出力された画像データをネットワーク１０を介して受信部１２１で受信し、その画像データのデジタル信号である画像信号Ｓは、Ｄ／Ａ変換器１２２においてアナログ信号に変換され、変調回路１２３に入力される。変調回路１２３は、かかるアナログ信号に基づき、レーザ光源部１１０ａのドライバ１２４を制御して、レーザ光源部１１０ａから変調されたレーザ光Ｌを照射させるようになっている。露光部１２０における上記の各動作は、中央演算装置（ＣＰＵ）から構成される制御部１５２により制御されながら行われる。
【００４６】
レーザ光源部１１０ａから照射されたレーザ光Ｌは、レンズ１１２を通過し、シリンドリカルレンズ１１５により上下方向にのみ収束されて、図中矢印Ａ’方向に回転する回転多面鏡１１３に対し、その駆動軸に垂直な線像として入射するようになっている。回転多面鏡１１３は、レーザ光Ｌを主走査方向に反射し偏向し、偏向されたレーザ光Ｌは、２枚のレンズを組み合わせてなるシリンドリカルレンズを含むｆθレンズ１１４を通過した後、光路上に主走査方向に延在して設けられたミラー１１６で反射されて、搬送ローラ対１４２により、矢印Ｙ方向に搬送されている（副走査される）フィルムＦの被走査面１１７上を、矢印Ｘ方向に繰り返し主走査する。すなわち、レーザ光Ｌを、フィルムＦ上の被走査面１１７の全面にわたって走査する。
【００４７】
ｆθレンズ１１４のシリンドリカルレンズは、入射したレーザ光ＬをフィルムＦの被走査面１１７上に、副走査方向にのみ収束させるものとなっており、また前記ｆθレンズ１１４から前記被走査面までの距離は、ｆθレンズ１１４全体の焦点距離と等しくなっている。このように、露光部１２０においては、シリンドリカルレンズを含むｆθレンズ１１４及びミラー１１６を配設しており、レーザ光Ｌが回転多面鏡１１３上で、一旦副走査方向にのみ収束させるようになっているので、回転多面鏡１１３に面倒れや軸ブレが生じても、フィルムＦの被走査面１１７上において、レーザ光Ｌの走査位置が副走査方向にずれることがなく、等ピッチの走査線を形成することができるようになっている。回転多面鏡１１３は、例えばガルバノメータミラー等、その他の光偏光器に比べ走査安定性の点で優れているという利点がある。以上のようにして、フィルムＦに画像信号Ｓに基づく潜像が形成されることとなる。
【００４８】
図３の熱現像部１３０は、フィルムＦを外周にほぼ密着して保持しつつ加熱及び回転可能な加熱部材としての加熱ドラム１４を有し、加熱ドラム１４の内周部には通電制御により発熱し温度制御されるヒータが配置されている。また、加熱ドラム１４の外方には、案内部材かつ押圧部材として加熱ドラム１４に比べて小径の回転自在の対向ローラ１６が加熱ドラム１４に接するように複数本設けられており、加熱ドラム１４に対して平行に対向するように配置されている。
【００４９】
加熱ドラム１４は、上述のように潜像が形成されたフィルムＦを複数の対向ローラ１６との間に挟んだ状態で加熱し回転しながら搬送することで、所定の最低熱現像温度以上に、所定の熱現像時間維持することによって、フィルムＦに潜像を可視画像として形成する。ここで、最低熱現像温度とは、フィルムＦに形成された潜像が熱現像され始める最低温度のことであり、例えば９５℃以上である。一方、熱現像時間とは、フィルムＦの潜像を所望の現像特性に現像するために、最低熱現像温度以上に維持するべき時間をいう。
【００５０】
次に、図３のフィルムの副搬送を行う搬送ローラ対１４２について図５を参照して説明する。図５は、図３の搬送ローラ対１４２の従動ローラを示す斜視図（ａ）、従動ローラの部分拡大図（ｂ）、及び従動ローラを駆動ローラと組み合わせたときの模式的な正面図（ｃ）である。
【００５１】
図５（ａ），（ｂ），（ｃ）に示すように、搬送ローラ対１４２は、モータ（図示省略）等により駆動される駆動ローラ１８１と、従動回転する従動ローラ１８２とから構成される。
【００５２】
図５（ａ），（ｂ）のように、従動ローラ１８２は、両端に大径部１８２ａを有し、大径部１８２ａと１８２ａとの間に小径部１８２ｂが断続的に形成されている。大径部１８２ａと小径部１８２ｂとはステンレス鋼等の金属材料から構成され、一体的な切削加工により製造される。又は、大径部１８２ａと小径部１８２ｂとを個別に切削加工して、その後にアセンブリして製造してもよい。また、駆動ローラ１８１はステンレス鋼等の金属ローラである。図５（ｃ）のように、従動ローラ１８２を駆動ローラ１８１に組み合わせると、両端で大径部１８２ａと駆動ローラ１８１とが当接し、小径部１８２ｂと駆動ローラ１８１との間に、図のハッチングで示すように所定ギャップ量を持つニップ隙間１８３がフィルム厚よりも狭く形成される。搬送ローラ対１４２は、駆動ローラ１８１と従動ローラ１８２の小径部１８２ｂとの間のニップ隙間１８３にフィルムを挟んで搬送する。
【００５３】
上述のように、搬送ローラ対１４２を予め両ローラ間にギャップが形成されているギャップローラ構造とすることで、フィルムが搬送されて搬送ローラ対１４２に突入するときの突入むらを低減できる。このように、フィルムの副走査搬送等を行う搬送ローラ対１４２が図５（ｃ）のフィルム幅方向の中心位置ｍをフィルム搬送の際の基準にするギャップローラ構造である点及びフィルムの安定搬送の観点からフィルムはセンター基準による搬送を行う方が好ましい。
【００５４】
次に、図１の画像処理装置３について図６を参照して説明する。図６は図１の画像処理装置３の概略的構成を示すブロック図である。図６に示すように、画像処理装置３は、中央演算装置（ＣＰＵ）から構成され全体の動作を制御する主制御装置２１と、ＣＲＴディスプレイや液晶パネル等からなり画像生成装置１，２で得られたデジタル画像データを表示するための画像表示部２２とを備え、パーソナルコンピュータから構成でき、入力キーボードやマウス等の情報入力装置を含む。
【００５５】
図６の画像処理装置３は更に、画像生成装置１、２から画像データを受信する受信部４０と、ハードディスク装置やＲＡＭ等から構成され受信した画像ファイル等の情報及び画像処理後の画像情報を記憶する保存部４１と、画像ファイル中の画像情報について画像処理を行う画像処理部４２と、外部装置に出力するための出力画像を形成する出力画像形成部４３と、受信した画像の画像確認等のために縮小画像を画像表示部２２に表示させる画像確認処理部４５とを含む。また、主制御装置２１により各部分４０〜４３，４５及び表示装置２２等が制御される。
【００５６】
次に、図４の画像記録装置６の露光部１２０において乳房画像データに合成する画像データについて図７，図８，図９を参照して説明する。
【００５７】
図７は乳房画像データに乳房画像の胸壁部に隣接するフィルム部分に高濃度処理をする画像データを合成する様子を模式的に示す図である。図８は乳房画像データにフィルム長辺のフィルムの両側部分に高濃度処理をする画像データを合成する様子を模式的に示す図である。図９は乳房画像データにフィルム４辺全ての周囲部分に高濃度処理をする画像データを合成する様子を模式的に示す図である。
【００５８】
図４の画像記録装置６の制御部１５２は、受信部１２１で画像生成装置１，２から画像データを受信すると、その付帯情報に含まれる撮影部位情報に基づいて受信した画像データが乳房画像データであるか否かを判断し、乳房画像データであるとき、図７のように、乳房画像２０１と胸壁部２０２のある乳房画像データ２０３に対し高濃度処理のための画像データ２０４を合成する。このように合成された合成画像データ２０５は、乳房画像２０１と胸壁部２０２に隣接した高濃度部２０４とをフィルムに形成可能なものとなる。
【００５９】
上述のように乳房画像データであるとき、例えば、フィルムの一方の側辺に沿って胸壁部２０２が形成されるように胸壁部２０２の向きを一定にして生成した画像データが画像生成装置２から出力するように画像生成装置２で設定することで、高濃度部２０４を胸壁部２０２に隣接して形成できる。
【００６０】
また、このように胸壁部２０２の向きを一定に設定しない場合には、図８のように、例えば、胸壁部２０２はフィルムの長辺に沿って形成されるように設定し（向きまでは設定しない）、乳房画像２０１と胸壁部２０２のある乳房画像データ２０６に対し高濃度処理のための画像データ２０７，２０８をフィルムの両長辺に沿うように合成する。このように合成された合成画像データ２０９は、フィルムの両長辺に隣接して高濃度部２０７，２０８をフィルムに形成可能なものとなり、胸壁部２０２がフィルムの長辺のいずれであっても、胸壁部２０２に高濃度部２０７または２０８が隣接するようになる。
【００６１】
更に、胸壁部２０２がフィルム４辺の内のどの辺に位置するか不明の場合には、図９のように、乳房画像２０１と胸壁部２０２のある乳房画像データに対し高濃度処理のための画像データ２１１，２１２，２１３，２１４をフィルムの４辺に沿うように合成する。このように合成された合成画像データ２１０は、４辺全てに高濃度部２１１〜２１４をフィルムに形成可能なものとなり、胸壁部２０２がフィルムの４辺のいずれであっても、胸壁部２０２に高濃度部２１１〜２１４のいずれかが隣接するようになる。
【００６２】
以上のようにして、図３，図４の画像記録装置６において乳房画像データに対し高濃度処理のための画像データを合成し、その合成画像データに基づいてフィルムに乳房画像を形成すると、乳房画像の胸壁部２０２には常に高濃度部が隣接して形成されるので、このフィルムを観察する観察者に悪影響（眩惑、まぶしさ）を与えてしまうことがない。
【００６３】
なお、図７，図８または図９のような画像データの合成は、画像記録装置６以外で行ってもよく、例えば、図２の画像生成装置２のパソコン本体部６５で行ってよく、また、図６の画像処理装置３の主制御装置２１で行ってもよい。かかる合成画像データはネットワーク１０を介して画像記録装置６に送信され、画像記録装置６において乳房画像の胸壁部２０２に常に高濃度部が隣接するように乳房画像をフィルムに形成できる。
【００６４】
次に、図４の画像記録装置６の露光部１２０でフィルムに画像データに基づいて露光を行う際に、形成画像に欠損が生じないようにする構成について図１０を参照して説明する。
【００６５】
図１０は図４の画像記録装置の露光部において画像データに基づいてレーザ光によりフィルムを走査しながら行う露光動作を説明するための模式的平面図である。
【００６６】
図４の露光部１２０は、図１０のようにフィルムが製造誤差等のためにサイズが異なり、許容範囲内における最小サイズのフィルムＦ１（図１０で太線で示す）及び最大サイズのフィルムＦ２（図１０で細線で示す）がセンター基準で位置する場合、いずれのフィルムＦ１、Ｆ２に対し潜像を形成しても画像欠損が生じないように構成している。
【００６７】
図１０のように、レーザ光が走査方向Ｘに主走査を開始する主走査開始位置ＳＴを最小サイズのフィルムＦ１に合わせて調整する。即ち、主走査開始位置ＳＴと最小サイズのフィルムＦ１の側辺との距離ｃに基づきクロックパルス数を調整する。また、最大サイズのフィルムＦ２がセンター基準で位置した場合、最小サイズのフィルムＦ１の側辺よりも長い距離ｄの分だけフィルムＦ２では画像形成が速めに行われる。
【００６８】
ＤＩＣＯＭ規格による画像データの付帯情報には、画像記録装置６からの出力に使用するフィルムサイズ情報、フォーマット情報、画像データサイズ情報が含まれるので、制御部１５２で上記距離ｃに対応するクロックパルス数を計算可能である。また、上記フィルムの最小サイズと最大サイズとの差である許容幅（距離ｄ）に相当する画素数の主走査に要する時間（クロックパルス数）も演算可能である。例えば、距離ｄが２ｍｍであるとすると、２ｍｍに相当する画素数は、例えば画素サイズが５０μｍの場合、４０画素である。
【００６９】
従って、露光部１２０は最小サイズのフィルムＦ１の側辺から距離ｄだけ長い位置から図７のような合成画像データに基づいて画像形成を開始すると、最大サイズのフィルムＦ２の場合、画像形成開始から４０画素分の画像データの濃度データは高濃度値であるので、距離ｄに対応する部分には上述の図７のような高濃度部２０４が形成されてから胸壁部２０２及び乳房画像２０１が形成される。従って、フィルムＦ２において胸壁部２０２及び乳房画像２０１を観察する場合、特に胸壁部２０２で眩惑・まぶしさ防止を図ることができる。
【００７０】
また、最小サイズのフィルムＦ１の場合、距離ｄだけ長い位置から同様に画像形成が開始され、距離ｄだけ短い分上述のような高濃度部２０４は形成されずにフィルムＦ１の側辺に胸壁部２０２が位置するように画像形成が行われる。これにより、図１０のように、センター基準で位置する最小サイズのフィルムＦ１の側辺に沿って胸壁部２０２が形成され、乳房画像がフィルムＦ１に形成されるので、フィルムが最小サイズであっても画像欠損が生じない。
【００７１】
なお、最小サイズのフィルムＦ１が搬送された場合は、図１０の距離ｄに相当するフィルムの存在しない部分をレーザ光で走査することになるので、露光部１２０のガイド板には反射防止加工を施すことが好ましい。
【００７２】
また、図２の画像生成装置１，２においても輝尽性蛍光体シート２９のサイズには所定の許容幅があるので、フィルムＦと輝尽性蛍光体シート２９の双方の許容幅を加味して図１０の距離ｄを設定することが望ましい。
【００７３】
また、図１０の乳房画像２０１と同様にしてもう一方の乳房画像を別のフィルムに図１０に対し胸壁合わせの状態となるように形成し、２枚のフィルムを胸壁合わせで比較読影することができる。
【００７４】
次に、図１乃至図１０の画像生成システムの動作を図１１のフローチャートを参照して説明する。
【００７５】
図１１を参照して、まず、被写体について放射線撮影を行い（Ｓ０１）、図２のように画像生成装置１または２でその放射線画像の読み取りを行うことで画像データを生成するとともに（Ｓ０２）、その撮影画像に関する撮影部位情報を含む付帯情報を生成する（Ｓ０３）。
【００７６】
上記画像データを付帯情報とともに画像生成装置１，２からネットワーク１０を介して画像記録装置６に送信する（Ｓ０４）。そして、画像記録装置６が受信部１２１で画像データ及び付帯情報を受信し（Ｓ０５）、制御部１５２が付帯情報の撮影部位情報に乳房関連情報が含まれているか否かを判断し（Ｓ０６）、含まれている場合は、その乳房画像データに対し例えば図７のような高濃度処理のための画像データ２０４を合成する（Ｓ０７）。なお、付帯情報の撮影部位情報に乳房関連情報が含まれていない場合は、次のステップＳ０８に進む。
【００７７】
次に、上述のような合成画像データ（または画像データ）に基づいて、センター基準で搬送されてきたフィルムＦに図４の露光部１２０でレーザ光による露光走査を行い（Ｓ０８）、潜像の形成されたフィルムを更に搬送し、熱現像部１３０で加熱することで現像を行い（Ｓ０９）、潜像が可視像化されたフィルムを更に搬送し排出部１６０に排出する（Ｓ１０）。
【００７８】
また、画像生成装置１，２で生成された画像データ及び付帯情報は画像生成装置１，２からネットワーク１０を介してデータベースサーバ７に送信され（Ｓ１１）、データベースサーバ７に保存される（Ｓ１２）。
【００７９】
なお、データベースサーバ７に保存されている画像データに基づいて撮影画像をフィルムに形成する場合は、図１１の破線のように、データベースサーバ７からその画像データを付帯情報とともに画像記録装置６に送信することで、同様にしてフィルムに撮影画像を形成することができる。
【００８０】
図１１の動作によれば、生成された画像データが乳房画像データであるとき、画像記録装置６において乳房画像データに高濃度処理のための画像データを合成し、その合成画像データに基づいてフィルムに乳房画像を形成するので、乳房画像の胸壁部に隣接して高濃度部を形成できるので、乳房画像の形成されたフィルムにおいて眩惑・眩しさ防止を確実に図ることができる。また、合成画像データに基づいてフィルムに潜像を形成する際に、図１０のように潜像形成の開始位置がフィルムのサイズを考慮して定められるので、フィルムが最小サイズでも、胸壁部２０２に欠損が生じることを防止できる。
【００８１】
次に、図１乃至図１０の画像生成システムの別の動作を図１２のフローチャートを参照して説明する。
【００８２】
図１２を参照して、まず、被写体について放射線撮影を行い（Ｓ２１）、図２のように画像生成装置１または２でその放射線画像の読み取りを行うことで画像データを生成し（Ｓ２２）、その撮影部位情報に基づいてパソコン本体部６５が画像データが乳房画像であるか否かを判断し（Ｓ２３）、乳房画像である場合は、その乳房画像データに対し例えば図７のような高濃度処理のための画像データ２０４を合成する（Ｓ２４）。なお、乳房画像でない場合は、次のステップＳ２５に進む。また、画像データとともに付帯情報も生成する。
【００８３】
次に、上記合成画像データ（または画像データ）を画像生成装置１，２からネットワーク１０を介して画像記録装置６に送信し（Ｓ２５）、画像記録装置６が受信部１２１で受信する（Ｓ２６）。
【００８４】
次に、上述のような合成画像データ（または画像データ）に基づいて、センター基準で搬送されてきたフィルムＦに図４の露光部１２０でレーザ光による露光走査を行い（Ｓ２７）、潜像の形成されたフィルムを更に搬送し、熱現像部１３０で加熱することで現像を行い（Ｓ２８）、潜像が可視像化されたフィルムを更に搬送し排出部１６０に排出する（Ｓ２９）。
【００８５】
また、画像生成装置１，２で生成された画像データ及び付帯情報は画像生成装置１，２からネットワーク１０を介してデータベースサーバ７に送信され（Ｓ３０）、データベースサーバ７に保存される（Ｓ３１）。
【００８６】
なお、図１２において、画像生成装置１，２で生成された画像データをネットワーク１０を介して図２の画像処理装置３に送信し、画像処理装置３において主制御装置２１がその画像データに関する図１２の各ステップＳ２３〜Ｓ２５及びＳ３０，Ｓ３１を実行するようにしてもよい。
【００８７】
図１２の動作によれば、生成された画像データが乳房画像データであるとき、画像生成装置１，２（または画像処理装置３）において乳房画像データに高濃度処理のための画像データを合成し、その合成画像データに基づいてフィルムに乳房画像を形成することで乳房画像の胸壁部に隣接して高濃度部を形成できるので、乳房画像の形成されたフィルムにおいて眩惑・眩しさ防止を確実に図ることができる。また、合成画像データに基づいてフィルムに潜像を形成する際に、図１０のように潜像形成の開始位置がフィルムのサイズを考慮して定められるので、フィルムが最小サイズでも、胸壁部２０２に欠損が生じることを防止できる。
【００８８】
以上のように本発明を実施するための最良の形態について説明したが、本発明はこれらに限定されるものではなく、本発明の技術的思想の範囲内で各種の変形が可能である。例えば、図１１において、画像データは画像生成装置１，２で生成し画像記録装置６及びデータベースサーバ７に送信したが、図１のネットワーク１０を介して画像データを画像処理装置３に送り、画像処理装置３で処理した画像データを画像記録装置６及びデータベースサーバ７に送信するようにしてもよい。
【００８９】
また、本実施の形態では、フィルムサイズにばらつきがある場合に眩惑を誘発する素抜け部の発生を防止する構成について説明したが、図２の輝尽性蛍光体シート２９等の被写体検出器、図２の画像生成装置１，２及び図３の画像記録装置６の製造ばらつきに起因してフィルムの搬送位置のずれ等が生じ、フィルムに対する画像形成位置がずれることがあるが、かかるずれ量をフィルムでの潜像形成の際に考慮することで、フィルムサイズの場合と同様にして眩惑を誘発する素抜け部の発生を防止できる。
【図面の簡単な説明】
【００９０】
【図１】本発明の実施の形態による画像生成システムの全体構成を示す図である。
【図２】図１の画像生成装置の全体を概略的に示すブロック図である。
【図３】図１の画像記録装置の要部を示す正面図である。
【図４】図３の画像記録装置の露光部を概略的に示す図である。
【図５】図３の搬送ローラ対１４２の従動ローラを示す斜視図（ａ）、従動ローラの部分拡大図（ｂ）、及び従動ローラを駆動ローラと組み合わせたときの模式的な正面図（ｃ）である。
【図６】図１の画像処理装置の概略的構成を示すブロック図である。
【図７】本実施の形態において乳房画像データに乳房画像の胸壁部に隣接するフィルム部分に高濃度処理をする画像データを合成する様子を模式的に示す図である。
【図８】乳房画像データにフィルム長辺のフィルムの両側部分に高濃度処理をする画像データを合成する様子を模式的に示す図である。
【図９】乳房画像データにフィルム４辺全ての周囲部分に高濃度処理をする画像データを合成する様子を模式的に示す図である。
【図１０】図４の画像記録装置の露光部において画像データに基づいてレーザ光によりフィルムを走査しながら行う露光動作を説明するための模式的平面図である。
【図１１】図１乃至図１０の画像生成システムの動作を説明するためのフローチャートである。
【図１２】図１乃至図１０の画像生成システムの別の動作を説明するためのフローチャートである。
【図１３】従来技術による左右乳房の放射線画像が各胸壁部側を各フィルム側辺に合わせて形成された２枚のフィルムを模式的に示す図（ａ）及び各フィルム側辺と各胸壁部との間に素抜け領域が形成されないようにした２枚のフィルムを模式的に示す図（ｂ）である。
【符号の説明】
【００９１】
１，２ 画像生成装置
２９ 輝尽性蛍光体シート
６５ パソコン本体部
７ データベースサーバ
１０ ネットワーク
６ 画像記録装置
１１，１２ 装填部
１４ 加熱ドラム
３  画像処理装置
２１ 主制御装置
４０ 受信部
１１０ 供給部
１１０ａ レーザ光源部
１２０ 露光部
１２１ 受信部
１３０ 熱現像部
１５２ 制御部
１６０ 排出部
Ｆ フィルム
Ｍ 被写体
１４２ 搬送ローラ対
１８１ 駆動ローラ
１８２ 従動ローラ
２０１ 乳房画像
２０２ 胸壁部
２０３，２０６ 乳房画像データ
２０４，２０７，２０８ 高濃度処理のための画像データ、高濃度部
２０５，２０９ 合成画像データ
２１０ 合成画像データ
２１１〜２１４ 高濃度処理のための画像データ、高濃度部
Ｆ１ 最小サイズのフィルム
Ｆ２ 最大サイズのフィルム
ＳＴ 主走査開始位置
Ｘ 走査方向
ｃ 主走査開始位置ＳＴと最小サイズのフィルムＦ１の側辺との距離
ｄ 最小サイズのフィルムと最大サイズのフィルムとの許容幅（距離）
【図１】
2005288000.tif 000003
【図２】
2005288000.tif 000004
【図３】
2005288000.tif 000005
【図４】
2005288000.tif 000006
【図５】
2005288000.tif 000007
【図６】
2005288000.tif 000008
【図７】
2005288000.tif 000009
【図８】
2005288000.tif 000010
【図９】
2005288000.tif 000011
【図１０】
2005288000.tif 000012
【図１１】
2005288000.tif 000013
【図１２】
2005288000.tif 000014
【図１３】
2005288000.tif 000015